(57)【特許請求の範囲】
【請求項１】
土壌に埋設され被支持体を支持する金属製の簡易基礎であって、
土壌に打ち込まれる１本の杭と、
該杭を傾斜させた状態で土壌に打ち込まれるように案内する１本の案内筒部を有する基礎本体とを備えるものにおいて、
前記基礎本体は、上板部と、上板部の下方に位置する底板部と、上板部と底板部とを連結する連結部とを備え、
前記案内筒部は、上縁が上板部の上面よりも下方に位置するように、前記連結部に傾斜した状態で固定され、
前記上板部と前記底板部とは矩形状であり、前記連結部は、板状で、前記上板部の一辺と前記底板部の一辺とを連結するものであって、
前記上板部と前記底板部との前記連結部が連結された側を前方とし、前記上板部と前記底板部との前記連結部が連結された側と逆の側を後方として、
前記上板部の後縁と前記底板部の後縁とを連結する板状の後板部と、
前記上板部の横方向一方の側縁と、前記底板部の横方向一方の側縁とを連結する板状の側板部とを備えることを特徴とする簡易基礎。
【請求項２】
前記連結部は、傾斜板部を有し、前記案内筒部は、該傾斜板部と前記底板部とを貫通して固定されていることを特徴とする請求項１記載の簡易基礎。
【請求項３】
前記連結部は、側面視で半円状に湾曲するように前方に向かって突出し、前記案内筒部は前記連結部に傾斜した状態で固定されることを特徴とする請求項１記載の簡易基礎。
【発明の詳細な説明】
【技術分野】
【０００１】
本発明は、公園、緑地等に、柵、橋、ベンチ、遊具等の建造物や樹木を支えるアンカー等の被支持体を支持する為に用いられる簡易基礎に関する。
【背景技術】
【０００２】
近年、里山、河川敷、湿原等にその自然環境を保護すると共に、自然環境を生かして公園や緑地等として利用するために、柵、橋、ベンチ、遊具等の建造物を構築することが行われている。建造物を構築する際には、地盤に建造物を支持するための基礎が設けられる。従来の基礎は、地盤に掘削された穴に捨てコンクリートを打ち、この捨てコンクリート上に組まれた枠体内に生コンクリートを充填することにより形成される。
【０００３】
ところが、上記の基礎では、地盤の掘削、生コンクリートの搬入等のために大型の車両を、里山、河川敷、湿原等に進入させる必要があり、植生、土壌等が損われ、自然環境を保護するための公園、緑地化が、自然環境の破壊を招くという本末転倒の結果になる問題がある。また、従来の基礎は、不要になった場合に撤去して里山、河川敷、湿原等を原状回復することが難しかった。
【０００４】
そこで、コンクリートを用いることなく、施工現場で容易に組み立てられる簡易基礎が知られている（例えば、特許文献１参照）。この簡易基礎は、土壌に埋設され被支持体を支持する金属製のものであって、土壌に打ち込まれる１本の杭と、コ字状の基礎本体とで構成され、基礎本体は、矩形状の上板部と、上板部の下方に位置する矩形状の底板部と、上板部の後縁と底板部の後縁とを連結する後板部と、上板部に上縁が固定されると共に、底板部に下縁が固定され、杭を傾斜させた状態で土壌に打ち込まれるように案内する１本の案内筒部とで構成される。
【特許文献１】特許第３９１６０８３号公報
【発明の開示】
【発明が解決しようとする課題】
【０００５】
従来の簡易基礎は、上板部に杭を案内する案内筒部の上縁が固定されており、杭は、傾斜した案内筒部に内挿されて打ち込まれるため、杭の上端部が簡易基礎の上板部から上方に突出した状態となってしまう。従って、この突出した杭が邪魔となり、柵、橋、ベンチ、遊具等の建造物などの被支持体を、簡易基礎の上板部に直接載置して固定することができなかった。
【０００６】
本発明は、以上の点に鑑み、上板部に被支持体を直接載置、固定することができる簡易基礎を提供することを目的とする。
【課題を解決するための手段】
【０００７】
上記目的を達成するため、本発明は、土壌に埋設され被支持体を支持する金属製の簡易基礎であって、土壌に打ち込まれる１本の杭と、杭を傾斜させた状態で土壌に打ち込まれるように案内する１本の案内筒部を有する基礎本体とを備えるものにおいて、基礎本体は、上板部と、上板部の下方に位置する底板部と、上板部と底板部とを連結する連結部とを備え、案内筒部は、上縁が上板部の上面よりも下方に位置するように、連結部に傾斜した状態で固定されることを特徴とする。
【０００８】
本発明によれば、案内筒部の上縁が上板部の上面よりも下方に位置するように、案内筒部を連結部で固定しているため、案内筒部を介して土壌に打ち込まれる杭の上端を上板部の上面よりも下方に位置するように打ち込むことができる。従って、杭が上板部の上面よりも上方へ突出することを防止し、上板部の上面に柵、橋、ベンチ、遊具等の被支持体を直接固定することができ、施工現場での被支持体を設置する作業を容易とすることができる。
【０００９】
ところで、被支持体を安定して支持する為に簡易基礎に対して比較的大きい耐力が要求される場合には、複数の簡易基礎を連結させて耐力を大きくすることが考えられる。前述した特許文献１では、簡易基礎の連結方法として、上部連結板により複数の簡易基礎の上板部同士を連結させると共に、下部連結板により複数の簡易基礎の下板部同士を連結していた。しかしながら、上部連結板と下部連結板とを必要とするため部品点数が多く、又、連結箇所も多いため、連結作業が面倒である。
【００１０】
この場合、基礎本体の上板部と底板部とを矩形状とし、連結部を板状に形成すると共に、連結部で上板部の一辺と底板部の一辺とを連結し、上板部と底板部との連結部が連結された側を前方とし、上板部と底板部との連結部が連結された側と逆の側を後方として、上板部の後縁と底板部の後縁と連結する板状の後板部と、上板部の横方向一方の側縁と底板部の横方向一方の側縁とを連結する板状の側板部とを設ければ、複数の簡易基礎の側板部同士、又は側板部と後板部とをボルトや溶接等により連結させることができる。
【００１１】
従って、従来のように上部連結板と下部連結板とを用いることなく、複数の簡易基礎を直接連結することができるため、部品点数を少なくできると共に、連結箇所も従来と比較して少なくできるため、連結作業を容易に行うことができる。
【００１２】
又、本発明において、連結部は傾斜板部を有し、案内筒部は、傾斜板部と底板部とを貫通して固定させてもよい。
【００１３】
又、本発明においては、連結部を、側面視で半円状に湾曲するように前方に向かって突出させ、案内筒部をこの連結部に傾斜した状態で固定させてもよい。
【発明を実施するための最良の形態】
【００１４】
図を参照して本発明の簡易基礎の第１実施形態を説明する。第１実施形態の簡易基礎は、里山、河川敷、湿原等に、公園、緑地等の施設（被支持体）を構築し、或いは樹木を支えるアンカー（被支持体）を固定する際に用いられるものである。公園、緑地等の施設としては、例えば、柵、橋、ベンチ、遊具、木道、照明器具、東屋等の小型屋外建造物が挙げられる。
【００１５】
図１に示すように、簡易基礎１は、鉄等の金属板を溶接して構成された基礎本体２と、パイプ等の鉄製の杭３とで構成される。基礎本体２は、長方形状で前後方向に長手の底板部２１と、底板部２１の後縁に立設された後板部２２と、底板部２１の前縁に立設された前板部２３と、前板部２３の上縁から後板部２２側に傾斜する傾斜板部２４と、傾斜板部２４の上縁と後板部２２の上縁とに連結し、底板部２１と平行に設けられた上板部２５と、底板部２１の一方の側縁に立設され上縁が上板部２５に連結され、後縁が後板部２２に連結される側板部２７とを備える。後板部２２、上板部２５、側板部２７には、角部に位置させて夫々４つの孔部２２ａ，２５ａ，２７ａが形成されている。
【００１６】
底板部２１と傾斜板部２４には貫通孔２１ａ，２４ａが設けられている。傾斜板部２４の貫通孔２４ａには案内筒部としてのスリーブ２６が底板部２１の貫通孔２１ａに向かって傾斜させて挿入されて溶接されており、スリーブ２６の下端は、底板部２１の貫通孔２１ａの開口縁に溶接されて固定されている。図２に示すように、スリーブ２６の上縁は、上板部２５の上面よりも下方に位置している。
【００１７】
又、スリーブ２６にはネジ孔２６ａが穿設され、スリーブ２６に挿入される杭３をネジ孔２６ａに螺合するボルト４を締め付けることにより、スリーブ２６と杭３とを固定する。尚、ボルト４の代わりにスリーブ２６と杭３とを上端部で溶接してもよい。この場合、撤去する際には、グラインダー等で加工すれば、スリーブ２６と杭３とを分離できる。
【００１８】
上記の如く構成される簡易基礎１は、比較的小さい耐力で十分な被支持体の基礎として用いる際には単体で使用される。例えば、図２に示すように、比較的小さい耐力で十分なベンチＢの基礎として第１実施形態の簡易基礎１を用いる場合には、ベンチＢの脚部１つに対して簡易基礎１を１つ用いて支持する。
【００１９】
これを詳説すると、まず、土壌のベンチＢの脚部が位置する箇所に基礎本体２を落とし込む穴を掘り、この穴に基礎本体２の上板部２５が水平となるように設置する。そして、杭３をスリーブ２６を通して油圧式の杭打ち機や木ハンマー等で土壌に打ち込む。このとき、スリーブ２６の上縁は、上板部２５の上面よりも下方に位置するため、杭３をその上縁が上板部２５の上面より下方に位置するまで土壌に打ち込むことができる。
【００２０】
その後、スリーブ２６のネジ孔２６ａにボルト４を螺合させて、ボルト４の先端で杭３を押し付け、杭３をスリーブ２６にしっかりと固定する。そして、ベンチＢのフランジ部Ｂ１を上板部２５に載置し、フランジ部Ｂ１に穿設された孔部（図示省略）と上板部２５の孔部２５ａとを介してボルト５１とナット５２とで締め付けて、フランジ部Ｂ１と上板部２５とを固定する。そして、簡易基礎１が設置された穴を土で埋め、簡易基礎１を土壌に埋没させる。
【００２１】
第１実施形態の簡易基礎１によれば、ベンチＢの脚部下端に形成されたフランジ部Ｂ１が水平方向に大きく張り出している場合でも、簡易基礎１のスリーブ２６の上縁を、上板部２５の上面よりも下方に位置させ、杭３をその上縁が上板部２５の上面より下方に位置するまで土壌に打ち込むことができるため、従来のようにベンチＢのフランジ部Ｂ１とスリーブ２６又は杭３とが接触してベンチＢを水平に安定して支持できなくなることを防止することができる。
【００２２】
また、比較的大きい耐力が要求される被支持体の基礎として用いる場合には、その耐力に応じて簡易基礎１を２つから４つ直接組み合わせて高い耐力を有する簡易基礎１の集合体を形成することができる。
【００２３】
図３を参照して簡易基礎１を２つ組み合わせて構成された２組集合体を説明する。２組集合体は、簡易基礎１ａ及び簡易基礎１ｂの側板部２７同士を重合わせ、各側板部２７の４つの孔部２７ａを介してボルト６１とナットとで連結させる。これにより、２つの簡易基礎１は互いに１８０度向きを変えて連結された２組集合体となり、側面視で杭３がクロスするようになる。
【００２４】
又、図４に示すように、２組集合体は、簡易基礎１ａの後板部２２に簡易基礎１ｂの側板部２７を重合わせて、孔部２２ａ，２７ａを介しボルト６１とナット６２とで連結させることによっても構成できる。
【００２５】
図５及び図６は簡易基礎１を４つ組み合わせて構成された４組集合体である。図５に示す４組集合体は、図３に示す２組集合体に、更に２つの簡易基礎１を追加したものであり、図３に示す簡易基礎１ａの後板部２２に簡易基礎１ｃの側板部２７を重合わせて孔部２２ａ，２７ａを介してボルト６１とナット６２とで固定し、簡易基礎１ｂの後板部２２に簡易基礎１ｄの側板部２７を重合わせて孔部２２ａ，２７ａを介しボルト６１とナット６２とで固定したものである。
【００２６】
図６に示す４組集合体は、図４に示す２組集合体に、更に２つの簡易基礎１を追加したものであり、４つの簡易基礎１を後板部２２と側板部２７とが重合わさるように組み合わせて十字状に形成しボルトとナットとで連結したものである。
【００２７】
具体的には、図４に示す簡易基礎１ａの側板部２７に新たに追加される簡易基礎１ｃの後板部２２を重合わせて孔部２７ａ，２２ａを介してボルト６１とナット６２とで固定し、簡易基礎１ｂの後板部２２に新たに追加される簡易基礎１ｄの側板部２７を重合わせて孔部２２ａ，２７ａを介してボルト６１とナット６２とで固定し、更に、簡易基礎１ｃの側板部２７と簡易基礎１ｄの後板部２２とを重合わせて孔部２７ａ，２２ａを介してボルト６１とナット６２とで固定したものである。
【００２８】
尚、図５に示す４組集合体の簡易基礎１ｃ又は簡易基礎１ｄを連結させずに３組集合体とすることもでき、又、図６に示す４組集合体の何れか１つの簡易基礎１を連結させずに３組集合体とすることもできる。
【００２９】
又、例えば、角パイプで構成される矩形状の枠体の外側面に、簡易基礎１や、２組集合体、３組集合体を複数取り付けることにより、比較的規模の大きい基礎を構築することもでき、用途に応じて種々の形態で利用することができる。
【００３０】
又、図７に示す第２実施形態のように、第１実施形態の前板部２３を設けずに、傾斜板部２４を直接底板部２１と上板部２５とに連結して連結部としてもよい。
【００３１】
又、図８に示す第３実施形態のように、第２実施形態の傾斜板部２４に代えて、半円状で前方に突出する湾曲板部２８を設け、この湾曲板部２８に案内筒部２６を傾斜させた状態で埋没させるように配置し、溶接して固定してもよい。
【００３２】
第２実施形態の簡易基礎１及び第３実施形態の簡易基礎１においても、第１実施形態の簡易基礎１と同様に２つから４つ組み合わせて集合体を構成することができる。
【図面の簡単な説明】
【００３３】
【図１】本発明の簡易基礎の第１実施形態を示す斜視図。
【図２】第１実施形態の簡易基礎の使用例を示す説明図。
【図３】第１実施形態の簡易基礎を２つ連結させた状態を示す斜視図。
【図４】第１実施形態の簡易基礎を２つ連結させた状態を示す斜視図。
【図５】第１実施形態の簡易基礎を４つ連結させた状態を示す斜視図。
【図６】第１実施形態の簡易基礎を４つ連結させた状態を示す斜視図。
【図７】本発明の簡易基礎の第２実施形態を示す斜視図。
【図８】本発明の簡易基礎の第３実施形態を示す斜視図。
【符号の説明】
【００３４】
１…簡易基礎、  ２…基礎本体、  ２１…底板部、  ２１ａ…貫通孔、  ２２…後板部、  ２２ａ…孔部、  ２３…前板部（連結部）、  ２４…傾斜板部（連結部）、  ２４ａ…貫通孔、  ２５…上板部、  ２５ａ…後部、  ２６…スリーブ（案内筒部）、  ２６ａ…ネジ孔、  ２７…側板部、  ２７ａ…孔部、  ２８…湾曲板部、  ３…杭、  ４…ボルト、  ５１…ボルト、  ５２…ナット、  ６１…ボルト、  ６２…ナット、  Ｂ…ベンチ、  Ｂ１…フランジ部。
【図１】
0004774502.tif 000002
【図２】
0004774502.tif 000003
【図３】
0004774502.tif 000004
【図４】
0004774502.tif 000005
【図５】
0004774502.tif 000006
【図６】
0004774502.tif 000007
【図７】
0004774502.tif 000008
【図８】
0004774502.tif 000009